(57)【要約】【課題】内部に残存する水分を早く排出すると共に、風に吹かれても落下することがないように安定性が良く、型崩れを防止する。【解決手段】フック１０と、フックの下部に設けられ、靴の長さ方向に延在する延在部２０と、延在部の一端に設けられ、靴の踵部を押さえる踵押さえ部３０と、フックと延在部の接続部１０を挟んで踵おさえ部と反対側に設けられ、靴の甲部またはつま先部を保持する保持部４０と、を備え、保持部は、甲部またはつま先部の大きさに合わせて調節可能に構成され、踵押さえ部は、踵部を外側からつま先部方向へ付勢するように弾性を有する靴ハンガー１００を提供する。【選択図】図４
2020054602.tif 000002
【特許請求の範囲】
【請求項１】
靴を干すための靴ハンガーであって、
フックと、
前記フックの下部に設けられ、靴の長さ方向に延在する延在部と、
前記延在部の一端に設けられ、靴の踵部を押さえる踵押さえ部と、
前記フックと前記延在部の接続部を挟んで前記踵おさえ部と反対側に設けられ、靴の甲部またはつま先部を保持する保持部と、
を備え、
前記保持部は、甲部またはつま先部の大きさに合わせて調節可能に構成され、
前記踵押さえ部は、踵部を外側からつま先部方向へ付勢するように弾性を有する、
靴ハンガー。
【請求項２】
前記踵押さえ部の近傍の前記延在部に両端を回動自在に取り付けられ、靴のタンに当接するように設けられたストラップ部をさらに備えることを特徴とする請求項１に記載の靴ハンガー。
【請求項３】
前記踵押さえ部に着脱自在に設けられる踵挟み部をさらに備え、
前記踵挟み部は、
前記踵押さえ部に取り付けられる取付部と、
前記取付部から靴の踵履き口方向に延在し、踵部から踵履き口までの高さを超える部分で湾曲する湾曲部と、
前記湾曲部から靴のインソール方向へ延在し、先端または先端近傍がインソールと踵部の内部の一方または両方に当接する当接部と、
を備え、
前記湾曲部と前記当接部の一方または両方は、踵部の内側から外側方向へ付勢するように弾性を有することを特徴とする請求項１または２に記載の靴ハンガー。
【請求項４】
前記踵挟み部は、前記湾曲部に水を抜くための水抜き穴と、前記当接部の側面に先端近傍から前記水抜き穴へ水分を引き込む溝を有することを特徴とする請求項３に記載の靴ハンガー。
【発明の詳細な説明】
【技術分野】
【０００１】
本発明は、靴を洗濯した後に干すための靴ハンガーに関する。
【背景技術】
【０００２】
従来から、靴を洗濯した後に干すために使用するハンガーが提案されている。例えば、特許文献１は、洗濯した後の水滴や靴の内部に溜まってしまった水滴を効率よく排出して短時間で乾燥させることができる靴干しハンガーを開示する。この靴干しハンガーは、ズック、スニーカー、長靴など、形状の異なる様々な靴類を、１台の靴干しハンガーとして使用可能とするものであり、靴の甲部受け用アーム、靴の踵部受け用アーム、連結アーム、ハンガー、から構成されている。靴の甲部受け用アームと靴の踵部受け用アームの二本のアームにより、逆さ向きにした靴外側の甲部と踵部の二箇所を段違い平行棒の形態で支持することにより、靴の落下防止に適した傾斜角度や水切りに適した傾斜角度を確保するとともに、長靴や胴長靴にも使用できる構造とする。
【先行技術文献】
【特許文献】
【０００３】
【特許文献１】特開２０１２−１３９４４３号公報
【発明の概要】
【発明が解決しようとする課題】
【０００４】
靴を洗濯した後に内部に残存する水分を早く排出して乾いた状態にすることは、靴の型崩れを防止すると共に、内部を清潔な状態に維持するために重要なことである。これは、特に、スポーツシューズなどアスリートが使用する靴では、洗濯頻度も多くなる一方アスリートの足をしっかりサポートするために型崩れを起こさないように洗濯し、乾燥させることが重要である。このように靴を乾燥させるために干す場所は、室内より室外が好ましいが、室外では風の影響を受けることがある。しかし、上記した従来技術の靴ハンガーでは、風の影響を受けて落下することがあり、その結果、靴底が地面について乾燥し難い状態になったり、履き口が地面について型崩れしてしまうことがあった。
【０００５】
本発明は、かかる事情を鑑みて考案されたものであり、内部に残存する水分を早く排出すると共に、風に吹かれても落下することがないように安定性が良く、型崩れを防止する靴ハンガーを提供するものである。
【課題を解決するための手段】
【０００６】
上記課題を解決するために、靴を干すための靴ハンガーであって、フックと、フックの下部に設けられ、靴の長さ方向に延在する延在部と、延在部の一端に設けられ、靴の踵部を押さえる踵押さえ部と、フックと延在部の接続部を挟んで踵おさえ部と反対側に設けられ、靴の甲部またはつま先部を保持する保持部と、を備え、保持部は、甲部またはつま先部の大きさに合わせて調節可能に構成され、踵押さえ部は、踵部を外側からつま先部方向へ付勢するように弾性を有する靴ハンガーが提供される。
これによれば、靴底を上にして、保持部が靴に合わせて調節可能に保持すると共に踵押さえ部が弾性を有して踵部をつま先部方向へ押さえつけることで、内部に残存する水分を早く排出すると共に、風に吹かれても落下することがないように安定性が良く、型崩れを防止する靴ハンガーを提供することができる。
【０００７】
さらに、踵押さえ部の近傍の延在部に両端を回動自在に取り付けられ、靴のタンに当接するように設けられたストラップ部をさらに備えることを特徴としてもよい。
これによれば、ストラップ部が靴のほぼ真ん中辺りにあるタンに支えることで、風に吹かれても落下することがない安定性の良い靴ハンガーを提供することができる。
【０００８】
さらに、踵押さえ部に着脱自在に設けられる踵挟み部をさらに備え、踵挟み部は、踵押さえ部に取り付けられる取付部と、取付部から靴の踵履き口方向に延在し、踵部から踵履き口までの高さを超える部分で湾曲する湾曲部と、湾曲部から靴のインソール方向へ延在し、先端近傍がインソールと踵部の内部の一方または両方に当接する当接部と、を備え、湾曲部と当接部の一方または両方は、踵部の内側から外側方向へ付勢するように弾性を有することを特徴としてもよい。
これによれば、踵挟み部が弾性により踵部の内側から外側方向へ押さえつけることで、風に吹かれても落下することがない安定性の良い靴ハンガーを提供することができる。また、踵挟み部が踵部から踵履き口までの高さを超える部分で湾曲することで踵履き口の型崩れを防止することができる。また、踵挟み部の先端近傍がインソールや踵部の内部に当接することで、内部の水分を下の方にある湾曲部の方へ引き出すことができる。
【０００９】
さらに、踵挟み部は、湾曲部に水を抜くための水抜き穴と、当接部の側面に先端近傍から水抜き穴へ水分を引き込む溝を有することを特徴としてもよい。
これによれば、内部に残存する水分が当接部から溝を通って水抜き穴に導かれることで、内部に残存する水分を早く排出することができる。
【発明の効果】
【００１０】
以上説明したように、本発明によれば、内部に残存する水分を早く排出すると共に、風に吹かれても落下することがないように安定性が良く、型崩れを防止する靴ハンガーを提供することができる。
【図面の簡単な説明】
【００１１】
【図１】本発明に係る第一実施例の靴ハンガーの側面図。
【図２】本発明に係る第一実施例の靴ハンガーの底面図。
【図３】本発明に係る第一実施例の靴ハンガーの左側面図。
【図４】本発明に係る第一実施例の、（Ａ）靴ハンガーの斜視図、（Ｂ）保持部の斜視図。
【図５】本発明に係る第一実施例の靴ハンガーに靴を取り付けて干している状態を示す斜視図。
【図６】本発明に係る第二実施例の靴ハンガーの側面図。
【図７】本発明に係る第二実施例の靴ハンガーの底面図。
【図８】本発明に係る第二実施例の靴ハンガーの左側面図。
【図９】本発明に係る第二実施例の、（Ａ）靴ハンガーの斜視図、（Ｂ）ストラップ部の斜視図。
【図１０】本発明に係る第二実施例の靴ハンガーに靴を取り付けて干している状態を示す斜視図。
【図１１】本発明に係る第三実施例の靴ハンガーの側面図。
【図１２】本発明に係る第三実施例の靴ハンガーの底面図。
【図１３】本発明に係る第三実施例の靴ハンガーの左側面図。
【図１４】本発明に係る第三実施例の、（Ａ）靴ハンガーの斜視図、（Ｂ）踵挟み部の斜視図、（Ｃ）水抜き穴の底面視拡大図、（Ｄ）Ｚ−Ｚ断面における断面拡大図。
【図１５】本発明に係る第三実施例の靴ハンガーに靴を取り付けて干している状態を示す斜視図。
【発明を実施するための形態】
【００１２】
以下では、図面を参照しながら、本発明に係る各実施例について説明する。
【００１３】
＜第一実施例＞
図１乃至図５を参照し、本実施例における靴ハンガー１００を説明する。靴ハンガー１００は、洗濯した靴ＳＨを乾燥させるためのハンガーである。洗濯した靴ＳＨは、内部に水分を含んだまま長い時間経過すると、靴ＳＨの踵部ＨＬや甲部ＴＰの部分が型崩れし易くなり、また内部に細菌などが繁殖することもあるので、なるべく短い時間で乾燥させることが好ましい。しかし、一般家庭において靴ＳＨの乾燥機を備えることは少ないため、靴ＳＨを洗濯した後は風通しのよいところに干すのが一般的である。しかし、風通しのよいところで干した場合、時折強い風が吹いたりすると、靴ＳＨは揺らされて下に落ちてしまう場合がある。また、落ちないように洗濯バサミのような物で踵履き口ＯＰを挟んで干すと型崩れしてしまうことがある。靴ハンガー１００は、このような問題を解決するためのものである。
【００１４】
靴ハンガー１００は、靴ＳＨを干すためのハンガーであって、物干し竿ＰＬなどに引っ掛けるためのフック１０と、フック１０の下部に設けられ、靴ＳＨの長さ方向ＬＮに延在する延在部２０と、延在部２０の一端に設けられ、靴ＳＨの踵部ＨＬを押さえる踵押さえ部３０と、フック１０と延在部２０の接続部１１を挟んで踵押さえ部３０と反対側に設けられ、靴ＳＨの甲部ＴＰを保持する保持部４０と、を備える。フック１０の形は、本実施例では物干し竿ＰＬに吊り下げられやすくするために一部が開口した円形をなすが、なにかに引っ掛けたり、なにかに吊り下げられたりする形状であれば特に限定されない。
【００１５】
フック１０の下部には、ほぼ靴ＳＨの幅と長さに相当する幅と長さを有する延在部２０が、接続部１１で接続されている。延在部２０は、靴ＳＨの踵部ＨＬでは幅が狭く、つま先部ＴＯになるに従って徐々に幅が広くなるように形成されている。本実施例における延在部２０は、図５に示すように、靴ＳＨの踵部ＨＬから靴ＳＨにおいて拇指球／小指球が当たる部分までの長さしかないが、靴ＳＨを取り付けられる程度の長さがあれば、特に限定されない。延在部２０は、その幅においても同様であり、靴ＳＨを取り付けられる程度の幅があれば、特に限定されない。また、延在部２０は、その厚さにおいても同様である。延在部２０の材質も同様であり、特に限定されないが、水を吸収しない樹脂や金属などが好ましい。
【００１６】
延在部２０は、フック１０との接続部１１において、図１に示すように、踵部ＨＬ方向の延在部２０とは鈍角、つま先部ＴＯ方向の延在部２０とは鋭角になるように設けられることが好ましい。このようにすると、フック１０を物干し竿ＰＬなどに引っ掛けると、重力により踵部ＨＬの方がつま先部ＴＯより低い位置になり、靴ＳＨの内部の水分が踵部ＨＬの方へ流れてきて、早く水分を内部から排出して乾燥させることができる。延在部２０は、靴ＳＨが干すために取り付けられると、靴ＳＨの底が接する部分となるので、風通しを良くするために孔２２が設けられている。
【００１７】
延在部２０は、最もつま先部ＴＯ寄りの孔２２には、保持部４０を係合させるための保持部係合部２３が形成されている。また、延在部２０において、フック１０と延在部２０の接続部１１を挟んで踵押さえ部３０と反対側であって、つま先部ＴＯに近い部分の両側側面には、凹部２１が設けられている。凹部２１と保持部係合部２３には、保持部４０が取り付けられる。保持部４０は後述するように柔らかい素材で構成されるので、延在部２０は、別体として提供される保持部４０を、保持部係合部２３の下面（靴ＳＨ側の面、図２の図視手前側の面）、延在部２０の上面（フック１０側の面、図２の図視奥側の面）であって凹部２１と最もつま先部ＴＯ寄りの孔２２と間の面、そして延在部２０の側面の両側に設けられた凹部２１に当接するようにして備える。
【００１８】
踵押さえ部３０は、接続部１１に対して延在部２０の一方（たとえば図１で言えば、延在部２０における左端）に設けられている。踵押さえ部３０は、延在部２０に対して靴ＳＨの方へ傾斜して設けられており、踵押さえ部３０の先端が靴ＳＨの踵部ＨＬに当接するようになっている。踵押さえ部３０は、その先端部分の両側に、踵部ＨＬに小さい面積で当接するような爪部３１が設けられている。これにより、踵押さえ部３０は、爪部３１が靴ＳＨの踵部ＨＬに引っ掛かるように当接するので、しっかり踵部ＨＬと係合することができる。踵押さえ部３０は、可撓性を有し、靴ＳＨが靴ハンガー１００に取り付けられた場合、踵部ＨＬを外側からつま先部ＴＯ方向へ付勢するように弾性を有する。踵押さえ部３０は、その材質において限定されないが、踵部ＨＬを押さえつけられる程度の弾性を有する樹脂であることが好ましい。また、踵押さえ部３０は、全体が弾性を有する必要はなく、踵押さえ部３０と延在部２０が結合された部分のみで弾性を有していてもよい。
【００１９】
保持部４０は、フック１０と延在部２０の接続部１１を挟んで踵押さえ部３０と反対側に形成された凹部２１に設けられる。これにより、保持部４０が靴ＳＨのつま先部ＴＯに近い部分に、踵押さえ部３０が踵部ＨＬに当接して、靴ＳＨ全体をバランスよく支持することができる。また、靴ＳＨが取り付けられた場合踵押さえ部３０がつま先部ＴＯ方向へ押さえつけるが、保持部４０が凹部２１および保持部係合部２３に設けられることで、保持部４０自体がつま先部ＴＯ方向へずれることを防止できる。保持部４０は、靴ＳＨの甲部ＴＰをその大きさに合わせて調節可能に保持する。保持部４０は、図４（Ｂ）に示すように、ゴム輪のように環状で伸び縮み自在の素材であってもよいし、柔軟性／可撓性のある帯状の樹脂の端に面テープ４１を備えることで、保持する部分の大きさに適合するように調節可能であること好ましい。また、本実施例では、保持部４０は、靴ＳＨの甲部ＴＰを保持するが、靴ＳＨのよりつま先部ＴＯ寄りの部分を保持してもよい。
【００２０】
使用者は、洗った靴ＳＨを靴ハンガー１００に取り付ける際、まず、延在部２０に、より詳細には、保持部係合部２３と凹部２１に保持部４０を取り付ける。そして、使用者は、靴底を延在部２０に、かつ、踵部ＨＬを踵押さえ部３０の先端に当接させるように配置する。次に使用者は、靴ＳＨ全体を少し踵押さえ部３０の方へ押さえつける。そうすると、踵押さえ部３０は、弾性を有するので、押さえつけた分撓る。その状態で、使用者は、保持部４０を靴ＳＨの甲部ＴＰ辺りに適度な力で巻き付けて、靴ＳＨを靴ハンガー１００に取り付ける。取り付けた後、使用者が靴ＳＨから手を離すと、踵押さえ部３０は、撓りを戻すように踵部ＨＬをつま先部ＴＯの方向へ付勢することになる。このようにして、靴ハンガー１００は、取り付けられた靴ＳＨをしっかりと保持することができる。そして、最後に使用者は、フック１０を物干し竿ＰＬなどに引っ掛けることで、靴ＳＨの靴底を上にして、踵履き口ＯＰを下にして、干すことができる。
【００２１】
靴ハンガー１００は、上記の構成を有することで、靴底を上にして、保持部４０が靴ＳＨに合わせて調節可能に保持すると共に踵押さえ部３０が弾性を有して踵部ＨＬをつま先部ＴＯ方向へ押さえつけることで、内部に残存する水分を早く排出すると共に、風に吹かれても落下することがないように安定性が良く、型崩れを防止することができる。
【００２２】
＜第二実施例＞
図６乃至図１０を参照し、本実施例における靴ハンガー１００Ａを説明する。なお、重複記載を避けるため、上記実施例の靴ハンガー１００と同じ構成要素には同じ符号を付し、説明を省略して、異なる点を中心に説明する。靴ハンガー１００Ａは、物干し竿ＰＬなどに引っ掛けるためのフック１０と、フック１０の下部に設けられ、靴ＳＨの長さ方向ＬＮに延在する延在部２０Ａと、延在部２０Ａの一端に設けられ、靴ＳＨの踵部ＨＬを押さえる踵押さえ部３０と、フック１０と延在部２０の接続部１１を挟んで踵押さえ部３０と反対側に設けられ、靴ＳＨの甲部ＴＰを保持する保持部４０と、延在部２０Ａに取り付けられ靴ＳＨのタンＴＮを支持するストラップ部５０と、を備える。
【００２３】
延在部２０Ａは、フック１０の下部に接続部１１で接続され、靴ＳＨの踵部ＨＬでは幅が狭く、つま先部ＴＯになるに従って徐々に幅が広くなるように形成されている。延在部２０Ａは、図１０に示すように、靴ＳＨの踵部ＨＬから靴ＳＨにおいて拇指球／小指球が当たる部分までの長さしかないが、靴ＳＨを取り付けられる程度の長さがあれば、特に限定されない。延在部２０Ａは、その幅においても同様であり、靴ＳＨを取り付けられる程度の幅があれば、特に限定されない。また、延在部２０Ａは、その厚さにおいても同様である。延在部２０Ａの材質も同様であり、特に限定されないが、水を吸収しない樹脂や金属などが好ましい。
【００２４】
延在部２０Ａは、フック１０との接続部１１において、図６に示すように、踵部ＨＬ方向の延在部２０Ａとは鈍角、つま先部ＴＯ方向の延在部２０Ａとは鋭角になるように設けられることが好ましい。延在部２０Ａは、風通しを良くするための孔２２を有し、最もつま先部ＴＯ寄りの孔２２には、保持部４０を係合させるための保持部係合部２３が形成されている。また、延在部２０Ａにおいて、つま先部ＴＯに近い部分の両側側面には、保持部４０が取り付けられる凹部２１が設けられている。
【００２５】
延在部２０Ａは、接続部１１と踵押さえ部３０と間であって両側の側面の近傍に回動支持部２４を備える。回動支持部２４には、ストラップ部５０の両端に備えられた回動軸５２（図９（Ｂ）に示される）が差し込まれるための穴が形成されており、これにより、ストラップ部５０は、踵押さえ部３０の近傍の延在部２０Ａに両端（回動軸５２）を回動自在に取り付けられる。また、ストラップ部５０は、ほぼ中央部分に靴ＳＨのタンＴＮに当接するための突起部５１を有する。ストラップ部５０は、Ｕ字型部分で靴ＳＨのアッパー全体を支持し、さらに突起部５１でタンＴＮや紐付近に当接することでずれることなく、靴ＳＨ全体を保持する。
【００２６】
使用者は、洗った靴ＳＨを靴ハンガー１００Ａに取り付ける際、まず、延在部２０Ａの保持部係合部２３と凹部２１に保持部４０を取り付ける。そして、使用者は、ストラップ部５０の中央部が踵押さえ部３０側にあるようにしておいて、靴底を延在部２０Ａに、かつ、踵部ＨＬを踵押さえ部３０の先端に当接させるように配置する。次に使用者は、靴ＳＨ全体を少し踵押さえ部３０の方へ押さえつける。そうすると、踵押さえ部３０は、弾性を有するので、押さえつけた分撓る。その状態で、使用者は、保持部４０を靴ＳＨの甲部ＴＰ辺りに適度な力で巻き付けて、靴ＳＨを靴ハンガー１００Ａに取り付ける。そしてさらに、踵押さえ部３０側に回動させてあったストラップ部５０を、つま先部ＴＯ側へ回動させて、突起部５１が靴ＳＨのタンＴＮに当接させる。このような状態で、使用者が靴ＳＨから手を離すと、踵押さえ部３０は、撓りを戻すように踵部ＨＬをつま先部ＴＯの方向へ付勢することになる。このようにして、靴ハンガー１００Ａは、取り付けられた靴ＳＨを保持部４０とストラップ部５０とでしっかりと保持または支持することができる。そして、最後に使用者は、フック１０を物干し竿ＰＬなどに引っ掛けることで、靴ＳＨの靴底を上にして、踵履き口ＯＰを下にして、干すことができる。
【００２７】
靴ハンガー１００Ａは、上記の構成を有することで、靴底を上にして、保持部４０が靴ＳＨに合わせて調節可能に保持すると共に踵押さえ部３０が弾性を有して踵部ＨＬをつま先部ＴＯ方向へ押さえつけ、さらにストラップ部５０が靴ＳＨのほぼ真ん中辺りにあるタンＴＮに支えることで、内部に残存する水分を早く排出すると共に、風に吹かれても落下することがないように安定性が良く、型崩れを防止することができる。
【００２８】
＜第三実施例＞
図１１乃至図１５を参照し、本実施例における靴ハンガー１００Ｂを説明する。なお、重複記載を避けるため、上記実施例の靴ハンガー１００と同じ構成要素には同じ符号を付し、説明を省略して、異なる点を中心に説明する。靴ハンガー１００Ｂは、物干し竿ＰＬなどに引っ掛けるためのフック１０と、フック１０の下部に設けられ、靴ＳＨの長さ方向ＬＮに延在する延在部２０と、延在部２０の一端に設けられ、靴ＳＨの踵部ＨＬを押さえる踵押さえ部３０Ｂと、フック１０と延在部２０の接続部１１を挟んで踵押さえ部３０Ｂと反対側に設けられ、靴ＳＨの甲部ＴＰを保持する保持部４０と、踵押さえ部３０Ｂに取り付けられる踵挟み部６０と。を備える。
【００２９】
踵押さえ部３０Ｂは、接続部１１に対して延在部２０の一方（たとえば図１１で言えば、延在部２０における左端）に設けられている。踵押さえ部３０Ｂは、延在部２０に対して靴ＳＨの方へ傾斜して設けられており、踵押さえ部３０Ｂの先端が靴ＳＨの踵部ＨＬに当接するようになっている。踵押さえ部３０Ｂは、上記実施例における踵押さえ部３０に比し、延在部２０からの高さは高く形成されている。本実施例の靴ハンガー１００Ｂは、たとえばバスケットシューズのような踵部ＨＬから踵履き口ＯＰまでの高さが高い靴ＳＨに使用されることが好ましい。
【００３０】
踵押さえ部３０Ｂは、その先端近傍の中央部分に、踵挟み部６０を着脱自在に取り付けるための被嵌め込み部３２Ｂを備える。被嵌め込み部３２Ｂは、本実施例では上下方向に並んだ２つの穴から構成されている。踵押さえ部３０Ｂは、可撓性を有し、靴ＳＨが靴ハンガー１００Ｂに取り付けられた場合、踵部ＨＬを外側からつま先部ＴＯ方向へ付勢するように弾性を有する。踵押さえ部３０Ｂは、その材質において限定されないが、踵部ＨＬを押さえつけられる程度の弾性を有する樹脂であることが好ましい。また、踵押さえ部３０Ｂは、全体が弾性を有する必要はなく、踵押さえ部３０Ｂと延在部２０が結合された部分のみで弾性を有していてもよい。なお、踵挟み部６０が着脱自在に取り付けられるように構成することで、バスケットシューズのような踵履き口ＯＰまでの高さが高い靴ＳＨからサッカーシューズのようなその高さが低い靴ＳＨまで、様々な種類の靴ＳＨに使用することができる。
【００３１】
踵挟み部６０は、踵押さえ部３０Ｂに取り付けられる取付部６１と、取付部６１から靴ＳＨの踵履き口ＯＰ方向に延在し、踵部ＨＬから踵履き口ＯＰまでの高さを超える部分で湾曲する湾曲部６２と、湾曲部６２から靴ＳＨのインソールＩＳ方向へ延在し、先端６４またはその近傍がインソールＩＳと踵部ＨＬの内部の一方または両方に当接する当接部６３と、を備える。取付部６１は、２つの穴から構成される被嵌め込み部３２Ｂに適合する２つの突起から構成される嵌め込み部６１１を端部近傍に備える。取付部６１は、踵部ＨＬから踵履き口ＯＰまでの高さの高い靴ＳＨに適合するように、踵押さえ部３０Ｂの先端からさらに下方に延在するように形成されている。
【００３２】
湾曲部６２は、取付部６１から踵履き口ＯＰ方向に延在すると共に、踵部ＨＬから踵履き口ＯＰまでの高さを超える部分で湾曲するように形成されている。湾曲部６２が踵部ＨＬから踵履き口ＯＰまでの高さを超える部分で湾曲することで、踵履き口ＯＰの型崩れを防止することができる。湾曲部６２の位置は、取り付ける靴ＳＨの種類に応じて変化したものを取り揃えることが好ましい。たとえば、取付部６１を長くし、湾曲部６２の位置を踵部ＨＬから踵履き口ＯＰまでの高さの高くするような位置にすると、長靴にも適用可能となる。
【００３３】
当接部６３は、湾曲部６２から靴ＳＨのインソールＩＳ方向へ延在し、踵履き口ＯＰから靴ＳＨの内部に侵入するように形成されており、湾曲部６２の位置によらず、当接部６３の先端６４またはその近傍がインソールＩＳか踵部ＨＬの内部に、好ましくはその両方に当接する。当接部６３の先端６４またはその近傍は、インソールＩＳと踵部ＨＬの内部の両方に当接するため、比較的大きめの球形に形成されてもよい。踵挟み部６０は、湾曲部６２と当接部６３のいずれかまたは両方において可撓性を有しており、靴ＳＨを靴ハンガー１００Ｂに取り付けた場合に踵部ＨＬの内側から外側方向へ付勢するように弾性を有することが好ましい。これにより、図１５に示すように、踵押さえ部３０Ｂは、踵部ＨＬと踵履き口ＯＰの中間部分を矢印Ａのように押圧し、踵挟み部６０は、踵部ＨＬの内側から外側方向（踵押さえ部３０Ｂの方向）へ押圧する。
【００３４】
このように、踵挟み部６０が弾性により踵部ＨＬの内側から外側方向へ押さえつけることで、風に吹かれても落下することがない安定性の良い靴ハンガー１００Ｂを提供することができる。また、踵挟み部６０が踵部ＨＬから踵履き口ＯＰまでの高さを超える部分で湾曲することで踵履き口ＯＰの型崩れを防止することができる。また、踵挟み部６０の先端６４付近がインソールＩＳや踵部ＨＬの内部に当接することで、靴ＳＨの内部の水分を下の方にある湾曲部６２の方へ引き出すことができる。
【００３５】
また、踵挟み部６０は、図１４（Ｂ）、（Ｃ）、（Ｄ）に示すように、湾曲部６２に水を抜くための水抜き穴６５と、当接部６３の側面に先端６４付近から水抜き穴６５へ水分を引き込む溝６６を有する。これによれば、毛細管現象を利用し、靴ＳＨの内部に残存する水分が当接部６３から溝６６を通って水抜き穴６５に導かれることで、内部に残存する水分を早く排出することができる。
【００３６】
使用者は、洗った靴ＳＨを靴ハンガー１００Ｂに取り付ける際、まず、延在部２０の保持部係合部２３と凹部２１に保持部４０を取り付ける。そして、使用者は、靴底を延在部２０に、かつ、踵部ＨＬを踵押さえ部３０の先端に当接させるように配置する。次いで、使用者は、踵挟み部６０の当接部６３を踵履き口ＯＰから差し込むと共に、嵌め込み部６１１を被嵌め込み部３２Ｂに挿入して踵挟み部６０を踵押さえ部３０Ｂに取り付ける。次に使用者は、靴ＳＨ全体を少し踵押さえ部３０Ｂの方へ押さえつける。そうすると、踵押さえ部３０Ｂは、弾性を有するので、押さえつけた分撓る。その状態で、使用者は、保持部４０を靴ＳＨの甲部ＴＰ辺りに適度な力で巻き付けて、靴ＳＨを靴ハンガー１００Ａに取り付ける。このような状態で、使用者が靴ＳＨから手を離すと、踵押さえ部３０Ｂは、撓りを戻すように踵部ＨＬをつま先部ＴＯの方向へ付勢することになる。踵押さえ部３０Ｂの撓りが戻ると、踵押さえ部３０Ｂの延在部２０に対する靴ＳＨの方への傾斜が大きくなり、それに伴い、踵挟み部６０の先端６４は、踵部ＨＬの内部を踵押さえ部３０Ｂの方へ押圧する力が強くなる方向へ移動する。その結果、靴ハンガー１００Ｂは、取り付けられた靴ＳＨを保持部４０と踵挟み部６０でしっかりと保持または押圧することができる。そして、最後に使用者は、フック１０を物干し竿ＰＬなどに引っ掛けることで、靴ＳＨの靴底を上にして、踵履き口ＯＰを下にして、干すことができる。
【００３７】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【００３８】
保持部４０は、上記実施例では、延在部２０とは別体として構成されているが、これに限定されない。たとえば、保持部４０は、凹部２１に相当する箇所に固定されて設けられてもよい。
【符号の説明】
【００３９】
１００    靴ハンガー
１０      フック
１１      接続部
２０      延在部
２１      凹部
２２      孔
２３      保持部係合部
２４      回動支持部
３０      踵押さえ部
３１      爪部
３２      被嵌め込み部
４０      保持部
４１      面テープ
５０      ストラップ部
５１      突起部
５２      回動軸
６０      踵挟み部
６１      取付部
６１１    嵌め込み部
６２      湾曲部
６３      当接部
６４      先端
６５      水抜き穴
６６      溝
ＳＨ      靴
ＨＬ      靴の踵部
ＴＰ      靴の甲部
ＴＯ      靴のつま先部
ＴＮ      靴のタン
ＯＰ      靴の踵履き口
ＩＳ      靴のインソール
ＬＮ      靴の長さ方向
ＰＬ      物干し竿
【図１】
2020054602.tif 000003
【図２】
2020054602.tif 000004
【図３】
2020054602.tif 000005
【図４】
2020054602.tif 000006
【図５】
2020054602.tif 000007
【図６】
2020054602.tif 000008
【図７】
2020054602.tif 000009
【図８】
2020054602.tif 000010
【図９】
2020054602.tif 000011
【図１０】
2020054602.tif 000012
【図１１】
2020054602.tif 000013
【図１２】
2020054602.tif 000014
【図１３】
2020054602.tif 000015
【図１４】
2020054602.tif 000016
【図１５】
2020054602.tif 000017